(57)【要約】【課題】ヘッドモジュールとブラケットを熱硬化接着剤で接合する際に位置ズレを生じないように接合できる。【解決手段】印刷ヘッド１０２と支持フレーム１１４との接合面同士を突き合わせたときに、該接合面に向かって大径溝１０Ａと小径溝１０Ｂとからなる段付き溝１０が形成されたヘッドモジュール１００とブラケット１１２とを使用し、小径溝１０Ｂに接着剤１６、シートヒータ１２、接着剤１６の３層構造を形成すると共に、接合面同士を位置するときにはシートヒータ１２を接着剤１６が低粘度化するように低温加熱する。【選択図】図６
2014188985.tif 000002
【特許請求の範囲】
【請求項１】
流体を吐出するノズルが形成されたヘッドモジュールをブラケットに固定したモジュール・ブラケット結合体を製造する方法であって、該方法中に前記ヘッドモジュールと前記ブラケットとを熱硬化型の接着剤で接合する接合工程を含むモジュール・ブラケット結合体の製造方法において、
前記接合工程の前に、前記ヘッドモジュールと前記ブラケットとの接合面同士を合わせたときに、該接合面に向かって大径溝と小径溝とからなる段付き溝が形成されたヘッドモジュールとブラケットとを予め準備する準備工程を有し、
前記接合工程では、
前記接着剤を前記小径溝の底面に付与する第１の接着剤付与工程と、
前記小径溝に付与された接着剤の上にシートヒータを載置するシートヒータ載置工程と、
前記載置されたシートヒータの上に接着剤を更に前記小径溝から前記接合面外まで盛り上がるように付与する第２の接着剤付与工程と、
前記ヘッドモジュールと前記ブラケットとの接合面同士を合わせ、前記シートヒータで前記接着剤が低粘度化するように低温加熱して前記ヘッドモジュールと前記ブラケットとの相対的な位置決めを行う位置決め工程と、
前記位置決めが終了したら、前記シートヒータを前記接着剤が硬化する温度まで上昇させて前記ヘッドモジュールと前記ブラケットとを接着する接着工程と、
前記接合面から外部に飛び出している前記シートヒータを切断除去するシートヒータ切断除去工程と、を行うモジュール・ブラケット結合体の製造方法。
【請求項２】
前記段付き溝は、前記接合面に向かって前記ヘッドモジュールと前記ブラケットとの何れか一方に形成されている請求項１に記載のモジュール・ブラケット結合体の製造方法。
【請求項３】
前記段付き溝は、前記接合面に向かって前記ヘッドモジュールと前記ブラケットの一方側に前記小径溝が形成され、他方側に前記大径溝が形成された分離構造である請求項１に記載のモジュール・ブラケット結合体の製造方法。
【請求項４】
前記分離構造に形成された前記段付き溝の縦断面形状を有する位置決めブロックを予め用意し、
前記位置決め工程では、前記用意した位置決めブロックを、前記段付き溝の溝端部に嵌合することにより、前記ヘッドモジュールと前記ブラケットとの相対的な位置決めを行う請求項３に記載のモジュール・ブラケット結合体の製造方法。
【請求項５】
前記接着剤は前記小径溝の溝幅と同等の幅を有するシート状接着剤である請求項１から４の何れか１項に記載のモジュール・ブラケット結合体の製造方法。
【請求項６】
前記ヘッドモジュールは、記録媒体の幅方向に複数のヘッドモジュールを配列させた構成を持つラインヘッド型のインクジェット記録装置に組み込まれることを特徴とする請求項１から５の何れか１項に記載のモジュール・ブラケット結合体の製造方法。
【発明の詳細な説明】
【技術分野】
【０００１】
本発明は、モジュール・ブラケット結合体の製造方法に係り、特に、インクジェット装置に搭載されるモジュール・ブラケット結合体の製造方法に関する。
【背景技術】
【０００２】
流体（例えばインク）を吐出する複数の流体吐出ヘッドを備えた画像記録装置では、記録装置本体に対する流体吐出ヘッドの位置決め精度は画像品質を左右する重要な点である。
【０００３】
画像記録装置の代表例としてはインクジェット記録装置があり、特に、インク吐出ヘッド（以下「ヘッドモジュール」という）を、記録媒体（例えば用紙）の幅方向に配列させた構成を持つラインヘッド型のインクジェット記録装置では、配列したヘッドモジュール同士の相対的位置の正確性は、紙面上へのインク着弾位置精度への影響が大きいため印刷画質上重要なポイントである。
【０００４】
また、ヘッドモジュールが故障した場合に、ヘッドモジュールを容易に交換できることが望まれている。
【０００５】
このような背景から、ヘッドモジュールを個々に交換可能する方式として、ブラケットを介してヘッドモジュールをインクジェット装置に装着する方法が提案されている。
【０００６】
そして、ヘッドモジュールとブラケットとを接合する方式として、複数のヘッドモジュール同士の正確な相対的位置を保った状態でヘッドモジュールとブラケットとを位置決めしながら接着剤で接合する接着位置決め固定する接着剤結合方法がある。この接着剤結合方法によれば、ヘッドモジュールをブラケットに結合したモジュール・ブラケット結合体の構造及び製造工程の簡易化が図れるとされている。
【０００７】
接着剤結合方法としては、特許文献１があり、熱硬化型の接着剤で接着固定する際に、接着剤の硬化収縮による部材同士の位置ズレを防止するために接着剤を部材溝に充填することが提案されている。
【０００８】
また、別の接着剤接合方法としては、特許文献２があり、非接着部への接着剤のはみ出しを防止するために突起と溝を設ける構造を使用することが提案されている。
【先行技術文献】
【特許文献】
【０００９】
【特許文献１】特開平１１-２６３００５号公報
【特許文献２】特許４６２０９５５号公報
【発明の概要】
【発明が解決しようとする課題】
【００１０】
ところで、複数個配列したモジュール・ブラケット結合体同士の間における正確な相対的位置を達成するためには、モジュール・ブラケット結合体をインクジェット装置に正確に位置決めするだけでなく、モジュール・ブラケット結合体を構成するヘッドモジュールとブラケットとの間で相対的位置ズレをなくし、正しい位置関係で接着接合することが重要になる。このためには、ヘッドモジュールとブラケットとの接合面において、できるだけ大きな接着面積を確保しつつ、接着剤が熱硬化して収縮する際の位置ズレを防止する必要がある。
【００１１】
また、モジュール・ブラケット結合体は、使用中のインクの固化によるノズルの詰まりを防止するため、高湿度環境で使用されたり、ヘッドモジュールに付着したインクを洗浄するために、モジュール・ブラケット結合体をインク洗浄液に浸漬したりする。したがって、このよう高湿度環境やインク洗浄液に晒されてもヘッドモジュールとブラケットとの接着強度や接着位置を正確に維持できることが重要になる。
【００１２】
しかしながら、特許文献１の方法でヘッドモジュールとブラケットとの部材同士を接着接合する場合、溝内に接着材を充填した後、部材同士の接合面を合わせたときに接着剤が広がって部材同士の接合面の間に接着材が侵入してしまうという問題がある。この結果、接着剤が硬化したときに接合面に侵入した接着剤の収縮が生じ、部材同士が位置ズレしてしまい易いという問題がある。
【００１３】
また、モジュール・ブラケット結合体をインク洗浄液に浸漬した場合、部材同士の接合面から洗浄液が浸透し、接着剤を溶解する危険があるので、部材同士の接着強度が弱くなるという問題がある。
【００１４】
また、特許文献２は、溝内により確実に接着剤を必要な充填量だけ充填することが難しいという問題があると共に、特許文献１と同様の問題がある。
【００１５】
したがって、特許文献１及び２の方法では、ヘッドモジュールをブラケットに接合する際や、モジュール・ブラケット結合体を使用中に、ヘッドモジュールの目的とする取付位置精度が得られず、インク液滴の着弾位置にズレが生じて画像品質が低下するということがある。
【００１６】
本発明は、このような事情に鑑みてなされたもので、ヘッドモジュールとブラケットを熱硬化接着剤で接合する際に位置ズレを生じないように接合できると供に、ヘッドモジュールやブラケットが高湿度環境やインク洗浄液に晒されても接着強度や正規の接着位置を維持することができるので、画像品質が低下することがないモジュール・ブラケット結合体の製造方法を提供することを目的とする。
【課題を解決するための手段】
【００１７】
本発明のモジュール・ブラケット結合体の製造方法は、前記目的を達成するために、流体を吐出するノズルが形成されたヘッドモジュールをブラケットに固定したモジュール・ブラケット結合体を製造する方法であって、該方法中にヘッドモジュールとブラケットとを熱硬化型の接着剤で接合する接合工程を含むモジュール・ブラケット結合体の製造方法において、接合工程の前に、ヘッドモジュールとブラケットとの接合面同士を突き合わせたときに、該接合面に向かって大径溝と小径溝とからなる段付き溝が形成されたヘッドモジュールとブラケットとを予め準備する準備工程を有し、接合工程では、接着剤を小径溝の底面に付与する第１の接着剤付与工程と、小径溝に付与された接着剤の上にシートヒータを載置するシートヒータ載置工程と、載置されたシートヒータの上に接着剤を更に小径溝から接合面外まで盛り上がるように付与する第２の接着剤付与工程と、ヘッドモジュールとブラケットとの接合面同士を合わせ、シートヒータで接着剤が低粘度化するように低温加熱してヘッドモジュールとブラケットとの相対的な位置決めを行う位置決め工程と、位置決めが終了したら、シートヒータを接着剤が硬化する温度まで上昇させてヘッドモジュールとブラケットとを接着する接着工程と、接合面から外部に飛び出しているシートヒータを切断除去するシートヒータ切断除去工程と、を行うことを特徴とする。
【００１８】
ここで、「シートヒータで接着剤が低粘度化するように低温加熱して」とは、後段の接着工程において接着剤が硬化する温度よりも低く、接着剤が粘性状態にある温度を言う。
【００１９】
本発明によれば、ヘッドモジュールとブラケットとの接合面同士を突き合わせたときに、該接合面に向かって大径溝と小径溝とからなる段付き溝が形成されたヘッドモジュールとブラケットとを使用する。
【００２０】
この場合、段付き溝の態様として、接合面に向かってヘッドモジュールとブラケットとの何れか一方に形成されている場合、接合面に向かってヘッドモジュールとブラケットの一方側に小径溝が形成され、他方側に大径溝が形成された分離構造の場合の、何れかを採用することができる。なお、段付き溝をヘッドモジュールとブラケットの一方のみに形成する場合には、接合面に向かって先ず大径溝を形成し、その奥に小径溝を形成することが好ましい。
【００２１】
また、大径溝の容積は、位置決め工程において、ブラケットの接合面と、ヘッドモジュールの接合面とを突き当てたときに、押し潰されて横方向に広がる接着剤を収納できる容積であればよい。
【００２２】
これにより、位置決め工程において、ヘッドモジュールとブラケットとの接合面同士を合わせる際に、小径溝に接合面外まで盛り上がるように付与された接着剤が押圧されて横方向に広がっても、横方向に広がった接着剤は大径溝に押し込まれる。また、位置決め工程では、シートヒータの低温加熱によって接着剤を低粘度化させるので、接合面同士が接近して接合面同士が確実に突き当たるまで接着剤が大径溝に押し込まれる。
【００２３】
ここで、「接合面同士が突き当たる」とは、接合面同士を合わせたときに、接合面同士の接触部分に異物（例えば接着剤等）が存在しないことを言う。
【００２４】
したがって、接合面同士の間に接着剤が侵入することを防止できると供に、接合面同士を確実に突き当てることによって、接合面同士を接着する接着剤の厚みが段付き溝の長さ方向において均一化する。
【００２５】
これにより、接着工程において、接着剤を熱硬化させたときに接着剤が収縮しても、段付き溝内での接着剤の収縮なので、位置決め工程で位置決めした接合面同士が位置ズレすることがない。
【００２６】
また、接合面同士を確実に突き当てて接着剤の厚みを均一化することで、接合面に均一に収縮力が付与されるので、収縮によって接合面に位置ズレが生じることがない。
【００２７】
更には、大径溝に接着剤が押し込まれることで、接合面同士の接着面積を大きくできる。
【００２８】
また、モジュール・ブラケット結合体を使用中に、使用温度環境等によって接着剤が膨張や膨潤しても、段付き溝の内部での膨張や膨潤なので、ヘッドモジュールとブラケットとの相対的な位置ズレが生じることはない。
【００２９】
更に、本発明によれば、ヘッドモジュールとブラケットとの接合面同士の間に接着剤が侵入しないので、接合面同士の間に隙間が発生しない。これにより、モジュール・ブラケット結合体を高湿度環境や洗浄液に晒したときに、接合面同士の間に水分や洗浄液が入り込まないので、接着力が低下することがない。
【００３０】
また、シートヒータの低温加熱で接着剤を低粘度化することで、接合面同士の位置決め調整し易くなる。これにより、ヘッドモジュールをブラケットの所定位置に精度良く結合させることができる。
【００３１】
ところで、ヘッドモジュールには、流体を精度良く吐出するためのノズルが形成されており、ヘッドモジュールの加熱によるノズルの寸法変化は、吐出される液滴の大きさや吐出量に重大な問題を与える。
【００３２】
しかし、本発明によれば、小径溝に、接着剤、シートヒータ、接着剤の３層構造になるように、第１の接着剤付与工程、シートヒータ載置工程、及び第２の接着剤付与工程を行うので、加熱したい接着剤のみをシートヒータで局部的に加熱することができる。これにより、モジュール・ブラケット結合体を製造する際に、ヘッドモジュールのノズルが寸法変化することを確実に防止できる。
【００３３】
本発明の別態様としては、分離構造に形成された段付き溝の縦断面形状を有する位置決めブロックを予め用意し、位置決め工程では、用意した位置決めブロックを、段付き溝の溝端部に嵌合することが好ましい。
【００３４】
これにより、位置決め工程において特別な位置決め手段を使用しないでも簡単にヘッドモジュールとブラケットとの接合面同士の位置決めを行うことができると供に、接着工程において接着剤が収縮しても、接着剤の収縮による接合面同士の位置ズレを一層確実に防止することができる。
【００３５】
この位置決めブロックは、モジュール・ブラケット結合体を製造した後、取り除いてもよく、そのまま嵌合させたままでもよい。嵌合させたままにすれば、モジュール・ブラケット結合体を使用中に、使用温度環境等によって接着剤が膨潤しても、接合面同士の位置ズレを一層防止できる。
【００３６】
また、本発明の別の態様では、接着剤は小径溝の溝幅と同等の幅を有するシート状接着剤であることが好ましい。これにより、小径溝内に、接着剤、シートヒータ、接着剤の３層構造を形成し易いと供に、小径溝に付与する接着剤量を制御し易い。
【００３７】
また、本発明の別態様によれば、ヘッドモジュールは、記録媒体の幅方向に複数のヘッドモジュールを配列させた構成を持つラインヘッド型のインクジェット記録装置に組み込まれることが好ましい。
【００３８】
本発明は、ラインヘッド型のインクジェット記録装置において一層効果を発揮するからである。
【発明の効果】
【００３９】
本発明のモジュール・ブラケット結合体の製造方法によれば、ヘッドモジュールとブラケットを熱硬化接着剤で接合する際に位置ズレを生じないように接合できると供に、ヘッドモジュールやブラケットが高湿度環境やインク洗浄液に晒されても接着強度や正規の接着位置を維持することができる。
【００４０】
したがって、本発明によれば、画像品質が低下することがないモジュール・ブラケット結合体を提供できる。
【図面の簡単な説明】
【００４１】
【図１】ヘッドモジュールの一例を示す斜視図
【図２】ブラケットの一例を示す斜視図
【図３】モジュール・ブラケット結合体の一例を示す斜視図
【図４】インクジェット記録装置の印刷フレームに固定されたモジュール・ブラケット結合体の斜視図
【図５Ａ】モジュール・ブラケット結合体の製造方法の工程図
【図５Ｂ】モジュール・ブラケット結合体の製造方法の工程図
【図５Ｃ】モジュール・ブラケット結合体の製造方法の工程図
【図６】モジュール・ブラケット結合体の製造方法の工程を説明するもので、特に接合部分の模式図
【図７】段付き溝を説明する説明図
【図８】一条溝におけるモジュール・ブラケット結合体の製造方法の工程を説明するもので、特に接合部分の模式図
【図９】段付き溝の別態様を説明する説明図
【図１０】位置決め装置の一例を示す説明図
【発明を実施するための形態】
【００４２】
以下、添付図面にしたがって本発明に係るモジュール・ブラケット結合体の製造方法の好ましい実施の形態について詳説する。
【００４３】
本発明のモジュール・ブラケット結合体の製造方法を説明する前に、図１及び図２により、ヘッドモジュール及びブラケットの一例について説明する。また、図３は、ヘッドモジュールとブラケットとを結合したモジュール・ブラケット結合体の一例であり、図４は、モジュール・ブラケット結合体を、例えばラインヘッド型のインクジェット記録装置の印刷フレームに取り付けた図である。
【００４４】
［ヘッドモジュール］
図１に示すように、ヘッドモジュール１００は、主として、記録媒体（例えば用紙）上に液滴を付与する印刷ヘッド１０２と、印刷ヘッド１０２に連結されて、ヘッドモジュール１００を、例えばインクジェット記録装置（図示せず）のプロセッサに電気的に連結するフレキシブル回路１１０と、で構成される。
【００４５】
フレキシブル回路１１０は、インクジェット記録装置のプロセッサからデータを受け取り、印刷ヘッド１０２にドライブ信号を付与する機能を有する。
【００４６】
印刷ヘッド１０２には、インクの液滴を吐出するノズルや流路等が形成された成型板１０４が設けられ、成型板１０４は多くの流路構造が形成された複層基材として構成される。一例として、それぞれの流路構造は流入口、アセンダー、圧力室、及びノズルに至るディセンダーで構成される。なお、他の適当な流路構造を使用することも可能である。
【００４７】
また、成型板１０４は、ノズルから選択的に液滴を吐出させるアクチュエータを含む。例えば、それぞれの流路構造は、それぞれのアクチュエータに連結しており、アクチュエータを起動すると、流路上に配置された膜が圧力室側に反り、ノズルから液滴を押し出すようになっている。アクチュエータの起動は、フレキシブル回路１１０から付与された電気信号によって行われる。
【００４８】
また、印刷ヘッド１０２は、成型板１０４にインクを供給したり、吐出されなかったインクを廃棄するかリサイクルしたりするハウジング１０６を備える。
【００４９】
印刷ヘッド１０２は、フレキシブル回路１１０、成型板１０４、ハウジング１０６等の各部材同士を支持する矩形板状の固定ブロック１０８を備える。
【００５０】
そして、ヘッドモジュール１００の印刷ヘッド１０２と、次に説明するブラケット１１２との支持フレーム１１４とが接着固定される。
【００５１】
［ブラケット］
図２は、印刷フレーム１４２（図４参照）にヘッドモジュール１００を固定するのに好適なブラケット１１２の一例を示すものである。
【００５２】
ブラケット１１２は、主として、ヘッドモジュール１００の印刷ヘッド１０２に接着してヘッドモジュール１００を支持する額縁形状の支持フレーム１１４、及び印刷フレーム１４２に固定するための板状の位置決めフレーム１１６を備える。ブラケット１１２は、支持フレーム１１４と位置決めフレーム１１６とにより、Ｌ型のブラケットを形成する。
【００５３】
図２では、支持フレーム１１４と位置決めフレーム１１６が一体構造として示されているが、別々の部材として形成し、後から連結してもよい。
【００５４】
支持フレーム１１４は、ヘッドモジュール１００の印刷ヘッド１０２を支持するように設計されている。特に、支持フレーム１１４は、印刷ヘッド１０２との取り合いを行うための外表面１１５と、ヘッドモジュール１００のハウジング１０６に一致するように設計された開口部１１７とを有する。
【００５５】
図３に示すように、ヘッドモジュール１００が適切にブラケット１１２に接着結合されたとき、印刷ヘッド１０２は成型板１０４のノズルプレートを露出した状態で、支持フレーム１１４の外表面１１５に密接状態で載置される。
【００５６】
位置決めフレーム１１６は、中央縦方向にガイド溝１４０が形成される。このガイド溝１４０は、ブラケット１１２を印刷フレーム１４２に固定するときに、図４に示すロック部材１５２、１５４のうちのロック部材１５４に挿入される。
【００５７】
また、位置決めフレーム１１６は、ブラケット１１２を印刷フレーム１４２に対して位置決めするための５〜６個の機械的な部材を備えている。この部材品によって、ヘッドモジュール１００はブラケット１１２を介して印刷フレーム１４２に対して所定の位置に所定の姿勢で位置決めされる。
【００５８】
印刷フレーム１４２にブラケット１１２を位置決めするための機械的部材としては、図２に示すＸ方向、Ｙ方向、Ｚ方向の３つの直線方向及びθＸ方向、θＹ方向、θＺ方向の３つの角度方向について位置決め調整するための部材を採用することができる。    
【００５９】
本実施の形態では、位置決めフレーム１１６は、第１の位置決め調整機構１１８、第２の位置決め調整機構１２２、第３の位置決め調整機構１２８を備えている。それぞれの位置決め調整機構１１８、１２２、１２８は、位置決めの調整のための機構を有しており、位置決めフレーム１１６が印刷フレーム１４２に固定されるとき、ブラケット１１２が正しい位置で且つ正しい姿勢で固定されるように構成されている。
【００６０】
即ち、ブラケット１１２を印刷フレーム１４２の面に固定する前に、第１及び第２の位置決め調整機構１１８、１２２を適切に調整することによって、ブラケット１１２を印刷フレーム１４２の所定の位置に正しく固定することができる。
【００６１】
第１の位置決め調整機構１１８は、ブラケット１１２を印刷フレーム１４２に対して、第１の角度方向（θＸ方向）で方角調整するように構成される。この場合、第１の位置決め調整機構１１８は、位置決めフレーム１１６の内側面１２３でその最下端位置に（支持フレーム１１４からは最も遠い位置に）カム装置を備えている。
【００６２】
このカム装置は、位置決めフレーム１１６に対して第２直線方向（Ｙ方向）に移動可能なカム１２０と、カム１２０を操作するための駆動軸１２１（図３参照）とを有する。例えば、カム１２０は、駆動軸１２１の適切な動作がなされると、カム１２０を位置決めフレーム１１６や配列器具１３６に対してＹ方向に進退移動させるように機能的に駆動軸１２１に結合されている。支持棒１３８は、位置決めフレーム１１６内に形成された座ぐり内部にボールベアリングを備えて構成され、カム１２０を保護している。また、第１の位置決め調整機構１１８は、カム１２０がＸ方向に伸びた軸の周りを回転できるようになっている。
【００６３】
図４に示されるように、位置決めフレーム１１６が印刷フレーム１４２に固定されるとき、カム１２０は印刷フレーム１４２の外表面１４４を支持している。更に、カム１２０は、Ｙ方向において印刷フレーム１４２から離れた位置決めフレーム１１６の最下端に位置するように構成されている。これにより、ブラケット１１２をθＸ方向において方向調整することができる。印刷フレーム１４２に対するブラケット１１２のθＸ方向の角度調整の正確性は、駆動軸１２１を使用してカム１２０の位置を調整することによって行うことができる。例えば、カム１２０を調整することによって、位置決めフレーム１１６の下端と、印刷フレーム１４２の外表面との間の距離を相対的に移動させることによって行うことができる。この相対的な移動はブラケット１１２を傾斜させるか、もしくは固定状態の印刷フレーム１４２に対してθＸ方向に回転させることで行うことができる。
【００６４】
配列器具１３６は、ブラケット１１２が印刷フレーム１４２に固定されるときに、Ｙ方向にセットされている。このため、ブラケット１１２をθＸ方向に回転する回転軸が配列器具１３６内を貫通している。
【００６５】
第１の位置決め調整機構１１８のカム装置は、印刷フレーム１４２に対するブラケット１１２の角度をマイクロオーダ（例えば１００マイクロ以下の調整）で調整できるように特別に設計されている。いくつかの例として、位置決めフレーム１１６の垂直方向の中心点からカム１２０を更に離れるように位置決めすると、ブラケット１１２はθＸ方向における角度位置が微調整される。
【００６６】
上記したように、第１の位置決め調整機構１１８によって、印刷フレーム１４２に対する所定位置が調整され、その後、ブラケット１１２は印刷フレーム１４２に機械的に固定される。この場合、位置決めフレーム１１６の角度方向におけるいかなる姿勢調整又は姿勢修正は、次に述べる第２の位置決め調整機構１２２によって行うことができる。
【００６７】
第２の位置決め調整機構１２２は、ブラケット１１２を印刷フレーム１４２に対してθＹ方向とＺ方向の方向合わせを行うために設けられる。本実施の形態では、第２の位置決め調整機構１２２は、フランジ部１１９の両端部に設けられた一対のカム装置で構成される。フランジ部１１９は、位置決めフレーム１１６の主体部分から外側に向けて横方向に張り出している。
【００６８】
これらのカム装置は、位置決めフレーム１１６のＺ方向に移動可能なカム１２４とカムを操作する駆動軸１２６とで構成される。一対のカム１２４は、それぞれの駆動軸１２６によって個別に駆動される。例えば、それぞれのカム１２４は、それぞれの駆動軸１２６に機能的に連結されており、これにより、カム１２４を位置決めフレーム１１６に対してＺ方向に進退させることができるようになっている。
【００６９】
また、第２の位置決め調整機構１２２は、カム１２４がＸ方向に延びた軸の回りを回転できるように形成されている。
【００７０】
図４に示すように、位置決めフレーム１１６が印刷フレーム１４２に固定されるとき、カム１２４は印刷フレーム１４２の支持部材１４６の第１部分を支持している。更に、一対のカム１２４は、Ｚ方向において印刷フレーム１４２から位置決めフレーム１１６の横方向両端部に配置されている。これにより、ブラケット１１２をθＹ方向とＺ方向に方向合わせすることができる。ブラケット１１２のθＹ方向及び／又はＺ方向の修正は、それぞれの駆動軸１２６を使って一対のカム１２４の位置を調整することによって行われる。例えば、一対のカム１２４を調整することによって、位置決めフレーム１１６の横方向両端部と印刷フレーム１４２の支持部材１４６との間で相対的な移動を生じさせることができる。この相対的な移動によって、ブラケット１１２はθＹ方向とＺ方向の一方か又は両方に移動する。特に、θＹ方向の移動（例えば回転又は傾き）は、一対のカム１２４のそれぞれの位置での調整差によって生じる。例えば、一対のカム１２４の一つが別のカム１２４よりも多く又は少なく調整されるとき、あるいは一対のカム１２４が反対向きのＺ方向に調整されるとき、例えばカムの一つが上方向に調整され、別のカムが下方向に調整される場合である。
【００７１】
一対のカム１２４が位置決めフレーム１１６の横方向両端に位置されていることは、θＹ方向におけるブラケット１１２の角度位置のさらなる微調整制御を行うことができる。ブラケット１１２のＺ方向での移動（例えば、平行移動）は、一対のカム１２４をＺ方向の同じ向き（例えば、両方のカム１２４を上方向又は下方向に動作）に動作させるときに生じる。
【００７２】
第２の位置決め調整機構１２２のカム装置は、特に、印刷フレーム１４２に対するブラケット１１２の角度をマイクロオーダ（例えば１００マイクロ以下の調整）で調整できるように特別に設計されている。
【００７３】
上記したように、第２の位置決め調整機構１２２によって、印刷フレーム１４２に固定する前のブラケット１１２の位置が調整され、その後、ブラケット１１２は印刷フレーム１４２に機械的に固定される。
【００７４】
ブラケット１１２のＸ方向の方向調整又は修正は、次に述べる第３の位置決め調整機構１２８によって行うことができる。
【００７５】
第３の位置決め調整機構１２８は、印刷フレーム１４２に対するブラケット１１２のＸ方向の方向合わせのために設けられる。この場合、第３の位置決め調整機構１２８は、位置決めフレーム１１６の内側面１２３であって位置決めフレーム１１６の縦方向のほぼ上端部（即ち、支持フレーム１１４に最も近接した位置）にカム装置を備えている。
【００７６】
図２に示すように、カム装置は、駆動軸１３２に連結されており、駆動軸１３２を操作することによって、位置決めフレーム１１６に対してθＹ方向に相対的に移動可能なカム１３０と、カム１３０を印刷フレーム１４２に対して保持する固定機構１３４と、で構成される。例えば、カム１３０は、駆動軸１３２に機能的に連結されており、これにより、Ｙ方向に延びた軸の回りをカム１３０が回転できるようになっている。
【００７７】
図３に示すように、駆動軸１３２は、ブラケット１１２が印刷フレーム１４２に固定されるときに、駆動軸１３２を操作できるように設計されている。
【００７８】
位置決めフレーム１１６が印刷フレーム１４２に取り付けられるとき、カム１３０は、カム１３０と固定機構１３４との間に位置する印刷フレーム１４２の固定ピン（図示せず）を支持する。これにより、ブラケット１１２をＸ方向に方向合わせすることができる。固定機構１３４は、固定ピンに対してカム１３０に付勢力を付与するためのバネを備えている。印刷フレーム１４２に対するブラケット１１２のＸ方向の方向合わせのための駆動軸１３２を使用してカム１３０の位置を調整することによって行われる。
【００７９】
例えば、カム１３０を調整すると、ブラケット１１２と印刷フレーム１４２の固定ピンとはＸ方向に相対的に移動する。この相対的な移動によって、ブラケット１１２は固定された印刷フレーム１４２に対してＸ方向にスライド又は移動する。カム１３０は、駆動軸１３２の摩擦力によって所定の位置で停止し、固定状態になる。この駆動軸１３２の摩擦力は意図しないカム１３０の調整を防止する。
【００８０】
第３の位置決め調整機構１２８のカム装置は、印刷フレーム１４２に対するブラケット１１２の調整をマイクロレベル（２０マイクロ以下の調整）で行えるように特別に設計されている。
【００８１】
一対の配列器具１３６は、位置決めフレーム１１６上に、印刷フレーム１４２に対してブラケット１１２や固定された印刷ヘッド１０２を調整するための別の部材を備えている。例えば、配列器具１３６は、印刷フレーム１４２に固定されたブラケット１１２をθＺ方向やＹ方向に方向合わせすることができる。この場合、配列器具１３６としては、反対方向に位置する一対のフランジ部１１９の各々から横方向外側に延設された静的構造（例えば、バンパー装置）を採用することができる。
【００８２】
図４に示すように、位置決めフレーム１１６が印刷フレーム１４２に固定されるとき、配列器具１３６は、印刷フレーム１４２に設けられた支持部材１４８の第２セット部を支持している。これにより、配列器具１３６によって、ブラケット１１２をθＺ方向とＹ方向とに方向合わせすることができる。
【００８３】
上記したように、ブラケット１１２に設けられた第１〜第３の位置決め調整機構１１８、１２２、１２８によって、ヘッドモジュール１００はブラケット１１２を介して印刷フレーム１４２に対して所定の位置に所定の姿勢で位置決めされる。
【００８４】
しかし、ヘッドモジュール１００を印刷フレーム１４２に対して所定の位置に所定の姿勢で位置決めするためには、ヘッドモジュール１００とブラケット１１２とが所定の位置に所定の姿勢で接着接合されたモジュール・ブラケット結合体１３５を製造することが前提となる。
【００８５】
図３は、ヘッドモジュール１００をブラケット１１２に接合したモジュール・ブラケット結合体１３５を示す。
【００８６】
図３に示すように、ヘッドモジュール１００のハウジング１０６が、ブラケット１１２の支持フレーム１１４に形成された開口部１１７（図２参照）に上方向から挿入される。これにより、ブラケット１１２の支持フレーム１１４の図３の上面（接合面）に、ヘッドモジュール１００の印刷ヘッド１０２の図３の下面（接合面）が合わさり、接着接合される。これにより、モジュール・ブラケット結合体１３５が製造される。
【００８７】
次に、ヘッドモジュール１００の印刷ヘッド１０２と、ブラケット１１２の支持フレーム１１４とを熱硬化型の接着剤で接合して、モジュール・ブラケット結合体１３５を製造する方法を詳しく説明する。
【００８８】
［モジュール・ブラケット結合体の製造方法］
図５Ａ〜図５Ｃは、モジュール・ブラケット結合体の製造方法の各工程の概念図であり、図６の（Ａ）〜（Ｆ）は各工程において特に接合部分を詳細に説明するための模式図である。
【００８９】
なお、図５Ａ〜図５Ｃでは、ヘッドモジュール１００の印刷ヘッド１０２、ブラケット１１２の支持フレーム１１４のみを図示し、他の部材は省略している。
【００９０】
（準備工程）
まず、図５（Ａ）に示すように、接合工程の前に、印刷ヘッド１０２と支持フレーム１１４との接合面同士を合わせたときに、接合面に向かって段付き溝１０が形成されたヘッドモジュール１００とブラケット１１２とを予め準備する。
【００９１】
本実施の形態では、ブラケット１１２の支持フレーム１１４の接合面側に、開口部１１７を挟んで段付き溝を２本平行に形成した場合で説明する。
【００９２】
図７は、段付き溝１０の溝径方向の断面拡大図であり、段付き溝１０は、支持フレーム１１４の接合面１１４Ａに、その接合面１１４Ａに向かって大径溝１０Ａが形成され、続いて小径溝１０Ｂが形成される。
【００９３】
なお、大径溝１０Ａの容積は、後記する位置決め工程において、支持フレーム１１４の接合面１１４Ａと、印刷ヘッド１０２の接合面１０２Ａとを突き当てたときに、印刷ヘッド１０２の接合面１０２Ａで押し潰されて横方向に広がる接着剤を収納できる容積であればよい。
【００９４】
本実施の形態では、ブラケット１１２の支持フレーム１１４に段付き溝１０を形成したが、ヘッドモジュール１００の印刷ヘッド１０２の接合面側に形成することもできる。
【００９５】
また、準備工程では、後記する位置決め工程で使用するシートヒータ１２、１２を予め準備しておく。図５Ａ（Ａ）における符号１４はノズルである。
【００９６】
そして、準備工程が終了したら、以下の接合工程を順番に行う。
【００９７】
（第１の接着剤付与工程）
次に、図５Ａ（Ｂ）に示すように、印刷ヘッド１０２の接合面の４隅に熱硬化型の接着剤１６を付与する。更には、図５Ａ（Ｃ）及び図６（Ａ）に示すように、支持フレーム１１４に形成した２本の段付き溝１０、１０の小径溝１０Ｂ底面に接着剤１６を付与して第１接着層を形成する。接着剤１６の付与は、例えば針状ノズルの先端から接着剤１６を吐出する接着剤ディスペンサ装置を好適に使用することができる。
【００９８】
なお、図５Ａ（Ｂ）の印刷ヘッド１０２の接合面の４隅に接着剤１６を付与する工程は省略してもよい。
【００９９】
（シートヒータの載置工程）
次に、図５Ｂ（Ｄ）及び図６（Ｂ）に示すように、２本の段付き溝１０において、それぞれの小径溝１０Ｂの第１接着剤層の上にそれぞれシートヒータ１２を載置する。
【０１００】
シートヒータ１２とは、細い電熱線が埋め込まれた面状発熱体であり、小径溝１０Ｂの幅と同等又はそれ以下の幅のものを使用する。シートヒータ１２の長さは、段付き溝１０の長さと同等以上であればよく、シートヒータ１２のヒータ部分が段付き溝１０の端から外部に出ていてもよい。
【０１０１】
（第２の接着剤付与工程）
次に、図５Ｂ（Ｅ）及び図６（Ｃ）に示すように、小径溝１０Ｂの第１接着剤層に載置されたシートヒータ１２の上に接着剤１６を更に小径溝から接合面外まで盛り上がるように付与して第２接着剤層を形成する。接着剤１６を付与する方法は、第１の接着剤付与工程のときと同様に、針状ノズルを備えた接着剤ディスペンサ装置を好適に使用することができる。
【０１０２】
（位置決め工程）
次に、図５Ｂ（Ｆ）及び図６（Ｄ）〜（Ｅ）に示すように、印刷ヘッド１０２と支持フレーム１１４との接合面同士を合わせると共に、シートヒータ１２で接着剤１６が低粘度化するように低温加熱して印刷ヘッド１０２と支持フレーム１１４との相対的な位置決めを行う。
【０１０３】
なお、ヘッドモジュール１００の印刷ヘッド１０２と、ブラケット１１２の支持フレーム１１４との相対的な位置決めを行う位置決め装置５００については後述する。
【０１０４】
（接着工程）
次に、図５Ｂ（Ｇ）及び図６（Ｆ）に示すように、位置決めが終了したら、シートヒータ１２を接着剤１６が硬化する温度まで上昇させて印刷ヘッド１０２と支持フレーム１１４とを接着接合する。
【０１０５】
（シートヒータ切断除去工程）
次に、図５Ｃ（Ｈ）に示すように、印刷ヘッド１０２と支持フレーム１１４の接合面同士の間から外部に飛び出しているシートヒータ１２を切断除去する。
【０１０６】
これにより、モジュール・ブラケット結合体１３５が製造される。
【０１０７】
以上説明した製造方法によれば、接合工程の前に、ヘッドモジュール１００の印刷ヘッド１０２とブラケット１１２の支持フレーム１１４との接合面同士を合わせたときに、該接合面に向かって大径溝１０Ａと小径溝１０Ｂとからなる段付き溝１０が形成されたヘッドモジュール１００とブラケット１１２とを予め準備する。
【０１０８】
そして、段付き溝１０の小径溝１０Ｂに、第１接着剤層、シートヒータ１２、第２接着剤層の３層構造になるように、第１の接着剤付与工程、シートヒータ載置工程、及び第２の接着剤付与工程を行う。
【０１０９】
次に、位置決め工程において、ヘッドモジュール１００の印刷ヘッド１０２と、ブラケット１１２の支持フレーム１１４との接合面同士を突き合わせて印刷ヘッド１０２と支持フレーム１１４との相対的な位置決めを行う。
【０１１０】
かかる位置決め工程において、印刷ヘッド１０２と支持フレーム１１４との接合面同士の合わせ操作によって接合面同士が接近すると、図６（Ｄ）で示したように、段付き溝１０の小径溝１０Ｂに接合面外まで盛り上がるように付与された接着剤１６は押圧されて横方向に広がり、接合面同士の間に侵入しようとする。
【０１１１】
しかし、本発明では、接合面に向かって大径溝１０Ａと小径溝１０Ｂとからなる段付き溝１０が形成されているので、小径溝１０Ｂから横方向に広がった接着剤１６は大径溝１０Ａに押し込まれる。この押し込みにおいて、シートヒータ１２の低温加熱によって接着剤１６を低粘度化させているので、接合面外まで盛り上がった接着剤１６を簡単に押し込むことができる。この結果、図６（Ｅ）に示すように、印刷ヘッド１０２と支持フレーム１１４の接合面同士が接近して確実に突き当たるまで接着剤１６が大径溝１０Ａに押し込まれる。
【０１１２】
したがって、印刷ヘッド１０２と支持フレーム１１４の接合面同士の間に接着剤１６が侵入することを防止できる。更には、接合面同士を確実に突き当てることによって、接合面同士を接着する接着剤１６の厚みが段付き溝１０の長さ方向（図６（Ｅ）紙面表裏方向）において均一化する。
【０１１３】
これにより、接着工程において、接着剤１６を熱硬化させたときに、図６（Ｆ）に示すように接着剤１６が収縮しても、段付き溝１０内での接着剤１６の収縮なので、位置決め工程で位置決めした接合面同士が位置ズレすることがない。
【０１１４】
また、接合面同士を確実に突き当てて接着剤１６の厚みを均一化することで、接合面に均一に収縮力が付与されるので、収縮によって接合面に位置ズレが生じることがない。
【０１１５】
更には、大径溝１０Ａに接着剤が押し込まれることで、接合面同士の接着面積を大きくできる。
【０１１６】
また、シートヒータ１２の低温加熱で接着剤１６を低粘度化することで、後記する位置決め装置５００によって接合面同士の位置決め調整がし易くなる。これにより、ヘッドモジュール１００をブラケット１１２の所定位置に所定の姿勢で精度良く結合させることができる。
【０１１７】
また、モジュール・ブラケット結合体１３５を装着した例えばインクジェット記録装置を使用中に、使用温度環境等によって接着剤１６が膨張や膨潤しても、段付き溝１０の内部での膨張や膨潤なので、膨張や膨潤によってヘッドモジュール１００とブラケット１１２との相対的な位置ズレが生じることはない。
【０１１８】
更に、本発明によれば、印刷ヘッド１０２と支持フレーム１１４との接合面同士の間に接着剤１６が侵入しないので、接合面同士の間に隙間が発生しない。これにより、モジュール・ブラケット結合体１３５を高湿度環境や洗浄液に晒したときに、接合面同士の間に水分や洗浄液が入り込まないので、接着力が低下することがない。
【０１１９】
ところで、ヘッドモジュール１００には、流体（例えばインク）を精度良く吐出するためのノズル１４が形成されており、ヘッドモジュール１００の加熱によるノズル１４の寸法変化は、吐出される液滴の大きさや吐出量に重大な問題を与える。
【０１２０】
しかし、本発明によれば、段付き溝１０の小径溝１０Ｂに、接着剤１６、シートヒータ、接着剤１６の３層構造になるように、第１の接着剤付与工程、シートヒータ載置工程、及び第２の接着剤付与工程を行うので、加熱したい接着剤１６のみをシートヒータ１２で局部的に加熱することができる。
【０１２１】
これにより、モジュール・ブラケット結合体を１３５製造する際に、ヘッドモジュール１００のノズル１４が寸法変化することを確実に防止できる。
【０１２２】
図８は、ブラケット１１２の支持フレーム１１４の接合面に、段付き溝１０ではない一条溝１８を形成して、ヘッドモジュール１００の印刷ヘッド１０２とブラケット１１２の支持フレーム１１４とを接着剤１６で接合する模式図である。
【０１２３】
図８（Ａ）に示すように、一条溝１８に接合面１１４Ａから盛り上がるように接着剤１６を付与した後、図８（Ｂ）に示すように、印刷ヘッド１０２の接合面と支持フレーム１１４の接合面とを合わせる。この合わせ操作により、接着剤１６は横方向に広がり、接合面同士の間に侵入する。そして、図８（Ｃ）に示すように、接合面同士の間に侵入した状態で接着剤１６が硬化され、ヘッドモジュール１００とブラケット１１２とが接着接合される。
【０１２４】
このように、印刷ヘッド１０２と支持フレーム１１４との接合面同士の間に接着剤１６が侵入すると、接合面が動き易くなると供に、侵入した接着剤１６が硬化するときの収縮によって接合面同士が位置ズレしてしまう。
【０１２５】
また、図８で製造されたモジュール・ブラケット結合体１３５の場合には、侵入した接着剤１６によって接合面同士の間に隙間２１が生じる。これにより、モジュール・ブラケット結合体１３５を高湿度環境や洗浄液に晒したときに、接合面同士の間に水分や洗浄液が入り込み易いので、接着力が低下する。
【０１２６】
更には、図８の場合には、接着剤１６を硬化するために、オーブン等の加熱装置にモジュール・ブラケット結合体１３５全体を加熱する必要があり、ヘッドモジュール１００のノズル１４が寸法変化する虞がある。
【０１２７】
図９は、段付き溝１０の別態様であり、段付き溝１０を、接合面に向かって印刷ヘッド１０２と支持フレーム１１４の一方側に小径溝１０Ｂを形成し、他方側に大径溝１０Ａを形成した分離構造とした場合である。図９は、印刷ヘッド１０２の接合面に大径溝１０Ａを形成し、支持フレーム１１４の接合面に小径溝１０Ｂを形成した場合である。
【０１２８】
この場合には、分離構造に形成された段付き溝１０の縦断面形状を有する位置決めブロック２０を予め用意することが好ましい。そして、上記した位置決め工程では、用意した位置決めブロックを、段付き溝１０の溝端部に嵌合する。この位置決めブロック２０は、小径溝１０Ｂに嵌合する小径突起部２０Ｂと、大径溝１０Ａに嵌合する大径突起部２０Ａとを有する。
【０１２９】
そして、印刷ヘッド１０２と支持フレーム１１４との位置決めを行う場合には、印刷ヘッド１０２と支持フレーム１１４とを合わせる。合わせることによって形成された段付き溝１０の溝端部に、位置決めブロック２０を嵌合させる。したがって、段付き溝１０の溝端部には、上記した第１接着剤層、シートヒータ、第２接着剤層の３層構造は形成しないでおく。
【０１３０】
これにより、位置決め工程において特別な位置決め手段を使用しないでも簡単に印刷ヘッド１０２と支持フレーム１１４との接合面同士の位置決めを行うことができる。
【０１３１】
更には、位置決めブロック２０を、段付き溝１０の溝端部に嵌合することによって、接着工程において接着剤１６が収縮しても、接着剤１６の収縮による接合面同士の位置ズレを一層確実に防止することができる。
【０１３２】
この位置決めブロック２０は、モジュール・ブラケット結合体１３５を製造した後、取り除いてもよく、そのまま嵌合させたままでもよい。嵌合させたままにすれば、モジュール・ブラケット結合体１３５を使用中に、使用温度環境等によって接着剤が膨張や膨潤しても、接合面同士の位置ズレを一層防止できる。
【０１３３】
また、後記する位置決め装置５００で位置決めする前の粗精度な位置決め用として位置決めブロック２０を使用することもできる。
【０１３４】
なお、第１の接着剤付与工程及び第２の接着剤付与工程では、粘液性の接着剤１６を接着剤ディスペンサ装置の針状ノズルから吐出する方法で行ったが、シート状接着剤（フィルム状ホットメルト型接着剤）を使用することもできる。これにより、小径溝に形成する第１接着剤層、シートヒータ、第２接着剤層の３層構造を簡単に形成できる。また、３層構造の厚みを小径溝の幅方向及び長さ方向で均一にし易くなる。
【０１３５】
図１０は、モジュール・ブラケット結合体１３５を位置決めするために設計された位置決め装置５００の一例を示す装置である。そして、この位置決め装置５００でヘッドモジュール１００の印刷ヘッド１０２とブラケット１１２の支持フレーム１１４との相対的な位置決めを行いながら接着剤１６で接着接合する。
【０１３６】
本実施の形態の位置決め装置５００は、トラック５０４上を移動する移動台５０２を備え、移動台５０２は実装置の印刷フレーム１４２を模擬するよう設計された模擬印刷フレームを備えている。
【０１３７】
そして、ヘッドモジュール１００、ブラケット１１２、シートヒータ１２等のモジュール・ブラケット結合体１３５の製造に使用する部材を予め移動台５０２上に準備し、以下説明する位置決め操作を行いながら、ヘッドモジュール１００の印刷ヘッド１０２と、ブラケット１１２の支持フレーム１１４とを熱硬化型の接着剤で接着接合する。
【０１３８】
これにより、位置決め装置５００で位置決めした状態でヘッドモジュールとブラケットと接着接合されて製造されたモジュール・ブラケット結合体１３５は、実装置の印刷フレーム１４２に固定したと同様の所定位置及び所定姿勢に固定することができる。
【０１３９】
移動台５０２はトラック５０４に沿って動き、接着結合する前のモジュール・ブラケット結合体１３５を第１配列ステーション５０６、第２配列ステーション５１０、そして第３配列ステーション５１６へ運ぶよう取り決められている。
【０１４０】
第１配列ステーション５０６は、支持フレーム１１４上に載置された印刷ヘッド１０２の大まかな位置決めを行うよう設計されている。したがって、第１配列ステーション５０６は一対の低倍率カメラ５０８を含む。大まかな位置決めを実行するため、印刷ヘッド１０２における成型板１０４に支持されたノズルプレート上の基準マークを低倍率カメラ５０８で観察し、基準マークがカメラ５０８の基準位置にくるまで、印刷ヘッド１０２が支持フレーム１１４上で調整される。
【０１４１】
また、図１０に示すように、第２配列ステーション５１０は、模擬印刷フレームに対してモジュール・ブラケット結合体１３５を位置決めするよう設計されている。特に第２配列ステーション５１０は、第１及び第２の位置決め調整機構１１８、１２２の調整を容易にする。上記したように、第１の位置決め調整機構１１８は、モジュール・ブラケット結合体１３５をＸ方向に位置決めし、第２の位置決め調整機構１２２は、モジュール・ブラケット結合体１３５をＹ方向とＺ方向に位置決めする。
【０１４２】
第２配列ステーション５１０は、一連の４つの高さゲージ５１２を備えている。それぞれの高さゲージ５１２は、印刷ヘッド１０２の成型板１０４に支持されたノズルプレートの表面に対して下方へ垂直に操作可能なテレスコープ式ピン５１４を備えている。それぞれのピン５１４は、表面の違った位置でノズルプレートと接触する。高さゲージ５１２は、ピン５１４とノズルプレート表面との間のそれぞれの接触点に垂直な位置に（または高さ）対応する座標の値を測ることができる。第１及び第２の位置決め調整機構１１８と１２２は、予め方向付けられた中で、目標となる座標値に高さゲージ５１２が一致するまで調整される。目標座標値との一致は モジュール・ブラケット結合体１３５が対して正しく位置決めされたことを示す。
【０１４３】
目標座標値は、基準ゲージを用いるとよい。基準ゲージの正確さは、３軸座標測定機で測定することによって行われる。基準ゲージは、正確に配列されたモジュール・ブラケット結合体１３５の高い耐久性、設計を示すことができる。目標座標値を考える上で、基準ゲージは移動台５０２に装備され、第２配列ステーション５１０に運ばれる。第２配列ステーション５１０において、高さゲージ５１２は基準ゲージを用いて目盛りを算出する。第３配列ステーション５１６は、支持フレーム１１４上の印刷ヘッド１０２の微細な配置を行えるよう設計されている。そのため、第３配列ステーション５１６は、一連の４つの高倍率カメラ５１８を含んでいる。基準ゲージの機能は高倍率カメラ５１８の目盛りを算出することに使われる。微細な位置決めを実行するため、ヘッドモジュール１００の印刷ヘッド１０２は、高倍率カメラ５１８がサーマルヘッドの成型板１０４の露出するノズルプレートの基準にそって正しく位置決めされるまで、支持フレーム１１４上で調整される。
【０１４４】
このようにヘッドモジュール１００の印刷ヘッド１０２と、ブラケット１１２の支持フレーム１１４と、が位置決め調整される。このように位置決め調整された後、上記説明したように、印刷ヘッド１０２の接合面と、支持フレーム１１４の接合面とが、段付き溝１０の小径溝１０Ｂに付与された接着剤１６によって接着接合される。
【符号の説明】
【０１４５】
１０…段付き溝、１０Ａ…大径溝、１０Ｂ…小径溝、１２…シートヒータ、１４…ノズル、１６…接着剤、１８…一条溝、２０…位置決めブロック、２１…隙間、１００…ヘッドモジュール、１０２…印刷ヘッド、１０２Ａ…印刷ヘッドの接合面、１０４…成型板、１０６…ハウジング、１０８…固定ブロック、１１０…フレキシブル回路、１１２…ブラケット、１１４…支持フレーム、１１４Ａ…支持フレームの接合面、１１６…位置決めフレーム、１１８…第１の位置決め機構、１２０…カム、１２２…第２の位置決め機構、１２４…カム、１２６…駆動軸、１２８…第３の位置決め機構、１３０…カム、１３２…駆動軸、１３４…固定機構、１３６…配列器具、１３８…支持棒、１４０…ガイド溝、１４２…印刷フレーム、１４４…印刷フレームの外表面、１４６…支持部材、１４８…支持部材、１５２、１５４…ロック部材
【図１】
2014188985.tif 000003
【図２】
2014188985.tif 000004
【図３】
2014188985.tif 000005
【図４】
2014188985.tif 000006
【図５Ａ】
2014188985.tif 000007
【図５Ｂ】
2014188985.tif 000008
【図５Ｃ】
2014188985.tif 000009
【図６】
2014188985.tif 000010
【図７】
2014188985.tif 000011
【図８】
2014188985.tif 000012
【図９】
2014188985.tif 000013
【図１０】
2014188985.tif 000014